(57)【要約】【課題】  アナグリフ法による立体画像表示装置において、違和感の少ない立体画像を得るようにすることを目的とする。【解決手段】  同一被写体の異なった視点からの視差のある２枚の画像を得ると共にこの２枚の画像を夫々横縞状又は縦縞状に切断し、交互に入れ替え合成して横縞状又は縦縞状のアナグリフ画像２０を得、この横縞状又は縦縞状のアナグリフ画像２０を右眼用及び左眼用のフィルタ２２及び２３を介して見るようにしたものである。【選択図】        図３
2005234055.tif 000002
【特許請求の範囲】
【請求項１】
同一被写体の異なった視点からの視差のある２枚の画像を得ると共に前記２枚の画像を夫々横縞状又は縦縞状に切断し、交互に入れ替え合成して横縞状又は縦縞状のアナグリフ画像を得、該横縞状又は縦縞状のアナグリフ画像を右眼用及び左眼用のフィルタを介して見るようにしたことを特徴とする立体画像表示装置。
【発明の詳細な説明】
【技術分野】
【０００１】
本発明は立体画像表示装置に関する。
【背景技術】
【０００２】
近年、平行法、交差法、アナグリフ法、偏光法等の奥行きを実感できる各種立体（ステレオ）画像は、新たな画像の鑑賞方法として注目を集めている（特許文献１、特許文献２）。
【０００３】
この平行法及び交差法は、横に並べた視差を有する２枚の画像に対して、鑑賞者自らがその視点の焦点をずらすことにより、立体視が可能となる手法であり、視差を有する画像を２枚横に並べるだけで立体視が可能になり、鑑賞する際に特別な道具等を必要としないために、手軽に立体（ステレオ）画像を鑑賞できる手法として広く普及している。
【０００４】
しかし、この平行法、交差法では鑑賞者が自ら視線を操作するという行為が必要になり、この行為には一定の訓練が必要になり、人により得手不得手があり、より多くの人の立体（ステレオ）画像の鑑賞の大きな障害になっている。
【０００５】
このような問題を解決する立体（ステレオ）画像の合成、鑑賞方法にアナグリフ法や偏光法が挙げられる。このアナグリフ法、偏光法では、視差のある２枚の画像を合成し１枚の画像を作り上げ、「赤青メガネ」や偏光板等のフィルタを用いることにより左右両眼に届く画像を分離し立体視を可能としている。
【０００６】
このアナグリフ法や偏光法では画像の合成という工程とフィルタとが必要ではあるが、上述平行法、交差法のような特別な訓練は必要なく立体視ができるため、より多くの人達が立体（ステレオ）画像を楽しむことができる。
【０００７】
しかし、この偏光法では立体画像表示装置にも偏光板を配置しなければならず、構成が複雑となり高価となる不都合がある。
【０００８】
このアナグリフ法ではこのような立体画像表示装置への特殊な処理は必要とせず、フィルタとしての「赤青メガネ」を装着するだけで、立体画像の鑑賞を手軽に行うことができる。
またこのフィルタとしての「赤青メガネ」も市販の赤及び青のセロハン紙等で作成ができ、安価に得ることができる。
【特許文献１】特開平９−２１５０１２号公報
【特許文献２】特開平１０−６３１９９号公報
【発明の開示】
【発明が解決しようとする課題】
【０００９】
然しながら、このアナグリフ法は左眼用の画像と右眼用の画像とを重ね合せ、右眼のフィルタで左眼用の画像を遮断し、左眼のフィルタで右眼用の画像を遮断するようにしているのであるが、この右眼のフィルタと左眼用の画像の色の組み合わせがずれてしまうと、左眼用の画像が右眼にも届いてしまい、また左眼のフィルタと右眼用の画像の色の組み合わせがずれてしまうと、右眼用の画像が左眼にも届いてしまい、矛盾を生じ違和感のある立体画像となってしまう不都合があった。
【００１０】
本発明は斯る点に鑑み、アナグリフ法による立体画像表示装置において、違和感の少ない立体画像を得るようにすることを目的とする。
【課題を解決するための手段】
【００１１】
本発明立体画像表示装置は、同一被写体の異なった視点からの視差のある２枚の画像を得ると共にこの２枚の画像を夫々横縞状又は縦縞状に切断し、交互に入れ替え合成して横縞状又は縦縞状のアナグリフ画像を得、この横縞状又は縦縞状のアナグリフ画像を右眼用及び左眼用のフィルタを介して見るようにしたものである。
【発明の効果】
【００１２】
本発明によれば視差のある２枚の画像を夫々横縞状又は縦縞状に切断し、交互に入れ替え合成して横縞状又は縦縞状のアナグリフ画像を得るようにしたので、このアナグリフ画像には画像が重なった部分がなく、右眼用及び左眼用フィルタに対応し画像を交互に表示することになり、左右両眼の矛盾のある画像を除去し違和感の少ない立体画像を得ることができる。
【発明を実施するための最良の形態】
【００１３】
以下、図面を参照して本発明立体画像表示装置を実施するための最良の形態の例につき説明する。図１はデジタルスチルカメラに、本例による立体画像表示装置を設けた例を示す。
【００１４】
図１において、１は同一被写体の異なった視点からの視差のある２つの像を光学系２に入射するステレオアダプタを示す。
【００１５】
このステレオアダプタ１の例としては、図２に示すようにデジタルスチルカメラの鏡筒に着脱自在に形成された筒体１ａのデジタルスチルカメラに装着する側とは反対側の一側に所定の傾斜を有し所定形状の被写体を反射する反射鏡１ｂを設けると共にこの反射鏡１ｂよりの被写体像をこの筒体１ａ内の一方の略半分を使用して光学系２側に反射する反射鏡１ｃを設け、更にこの被写体よりの像をこの筒体１ａ内の他方の略半分を使用して直接光学系２に入射する如くしたものである。
【００１６】
本例においては、このステレオアダプタ１をデジタルスチルカメラの鏡筒の前方に着脱自在に装着できるようにする。
【００１７】
この光学系２に得られる同一被写体の異なった視点からの視差のある２つの像をＣＣＤより成る固体撮像素子３の撮像面の異なる領域に夫々結像する如くする。
【００１８】
この固体撮像素子３に得られる撮像信号を相関二重サンプリング回路（ＣＤＳ回路）、ＡＧＣ回路、アナログ−デジタル変換回路（ＡＤ回路）等より成るフロントエンド部４を介して、画像信号の信号処理を行う信号処理部５に供給する。このフロントエンド部４は中央制御装置（ＣＰＵ）６の指示に従って所定の動作をするようになされているものである。
【００１９】
この信号処理部５はバスライン７を介して接続された中央制御装置（ＣＰＵ）６の指示にしたがって、後述するアナグリフ画像を形成するようにする。この中央制御装置６はバスライン７を介して接続されたＲＯＭ８に記憶されたプログラムに従って種々の制御を行う如くなされている。
【００２０】
９はバスライン７を介して接続されたディスプレイコントローラを示し、このディスプレイコントローラ９はＬＣＤ等のカラー表示装置１０の表示を制御するようにしている。
【００２１】
また、１１はバスライン７を介して接続されたメモリーインターフェースを示し、このメモリーインターフェース１１は例えばメモリーカード１２に接続する如くなされ、このメモリーカード１２にこの信号処理部５で信号処理した画像信号を記憶するようになされている。
【００２２】
また、１３はバスライン７を介して接続されたアナグリフ法用画像合成手段を示し、このアナグリフ法用画像合成手段１３はアナグリフ画像作成ソフトを使用し、アナグリフ画像を作成するときに寄与する。
【００２３】
１４は、バスライン７に接続されたワークＲＡＭを示し、このワークＲＡＭ１４は中央制御装置６の指示する動作に寄与するメモリである。
【００２４】
１５はステレオアダプタ検出装置を示し、このステレオアダプタ検出装置１５はステレオアダプタ１がこのデジタルスチルカメラに装着されているかされていないかを検出し、このステレオアダプタ検出装置１５がステレオアダプタ１が装着されていると検出したときにはアナグリフ法用画像合成手段１３を動作状態とし、このステレオアダプタ１が装着されていないことを検出したときには、このアナグリフ法用画像合成手段１３を不動作とすると共にこのデジタルスチルカメラを通常のデジタルスチルカメラと同様に動作する如くし、通常のデジタルスチルカメラとして使用できる如くする。
【００２５】
また１６はレンズ・アイリス駆動装置を示し、このレンズ・アイリス駆動装置１６は中央制御装置６の指示に従ってレンズ及びアイリスを制御する如くなされている。
【００２６】
また、１７はタイミングジェネレータを示し、このタイミングジェネレータ１７は、中央制御装置６の指示に従ったタイミング信号を発生し、このタイミングジェネレータ１７より発生したタイミング信号を固体撮像素子３に供給する如くする。
【００２７】
次に本例による立体（ステレオ）画像を得る流れを説明する。この立体画像を得るときにはデジタルスチルカメラにステレオアダプタ１を装着する。被写体画像がこのステレオアダプタ１を通過することにより、同一被写体の異なった視点からの視差を有した２つの像となり、レンズ系２を通過することにより固体撮像素子３の撮像面の異なる領域に夫々結像し、この固体撮像素子３の出力側にこの２つの画像の撮像信号が得られる。
【００２８】
この固体撮像素子３よりの撮像信号の電気信号化された画像データをフロントエンド部４を介してデジタル信号に変換し信号処理部５に供給し、この画像データをワークＲＡＭ１４に一時保存する。
【００２９】
この場合、本例においてはデジタルスチルカメラにステレオアダプタ１が装着されているのでアナグリフ法画像合成手段１３は動作状態にある。
【００３０】
従って本例においては信号処理部５は中央制御装置６の指示に従ってアナグリフ法を用いた画像合成処理を行う。先ずＲＡＭ１４に保存された画像データを、中央制御装置（ＣＰＵ）６の指令により視差を有する２つの画像データに分割する。
【００３１】
この右眼用及び左眼用の２つに分割された視差を有する２つの画像に対して、アナグリフ法用画像合成手段１３が右眼用の画像Ａからｃ色例えば赤色を抽出すると共に左眼用の画像Ｂからｄ色例えば青色のみを抽出する。
【００３２】
これにより、図３に示す如くｃ色例えば赤色のみの画像ａ及びｄ色例えば青色のみの画像ｂを得る。
【００３３】
本例においては、図３に示す如く、このｃ色例えば赤色の右眼用画像ａを所定の一定間隔ｔの複数の縦縞状に切断する如くすると共にｄ色例えば青色の左眼用画像ｂを所定の一定間隔ｔの複数の縦縞状に切断する如くし、この右眼用画像ａ及び左眼用画像ｂの縦縞状に切断された短冊状の画像を図３に示す如く交互に入れ替え合成して縦縞状のアナグリフ画像２０を得るようにする。
【００３４】
本例においては、図３に示す如く合成した縦縞状のアナグリフ画像２０の画像信号をカラー表示装置１０に供給して、図４に示す如くこのカラー表示装置１０に縦縞状のアナグリフ画像２０を表示し、右眼２１ａにｄ色例えば青色のフィルタ２２を装着することにより、右眼２１ａは左眼用の画像ｂはｄ色例えば青色のみで構成されているためこれを認識せず右眼用の画像ａのみを認識し、また左眼２１ｂにｃ色例えば赤色のフィルタ２３を装着することにより、左眼２１ｂは右眼用の画像ａはｃ色例えば赤色のみで構成されているためにこれを認識できず左眼用の画像ｂを認識する。
【００３５】
このように左右両眼が視差を有する２つの画像を認識することにより、観察者は平面な画像の中に飛び出しや奥行きを知覚することができる。
【００３６】
また本例によれば視差のある２枚の画像を夫々縦縞状に切断し、交互に入れ替え合成して縦縞状のアナグリフ画像２０を得るようにしたので、このアナグリフ画像２０には画像が重なった部分がなく、右眼用及び左眼用フィルタ２２及び２３に対応し、画像を交互に表示することになり、左右両眼の矛盾のある画像を除去し、違和感の少ない立体画像を得ることができる。
【００３７】
従って本例においては立体画像を撮影しているときに、撮影したその場で合成した立体画像を確認することができ、立体画像の合成後の画像が気に入らなければ消去し、再撮影するようにすることができる。
【００３８】
本例においては、この信号処理部５で形成したこの図３に示す如く合成した縦縞状のアナグリフ画像２０の画像信号をメモリーインターフェース１１を介してメモリーカード１２に記録し、このメモリーカード１２に記録した縦縞状のアナグリフ画像２０の画像信号を任意のカラーモニタに表示し、上述同様にして立体画像を鑑賞することができる。
【００３９】
また上述例において、ステレオアダプタ１をこのデジタルスチルカメラより取りはずしたときは、通常のデジタルスチルカメラとして使用することができ使い勝手が良い。
【００４０】
尚上述例においては右眼用画像ａ及び左眼用画像ｂを夫々所定間隔ｔの複数の縦縞状に切断し、交互に入れ替え合成して縦縞状のアナグリフ画像２０を得る如く述べたが、この代わりに、この右眼用画像ａ及び左眼用画像ｂを夫々所定間隔の複数の横縞状に切断し、交互に入れ替え合成して横縞状のアナグリフ画像を得るようにしても上述例同様の作用効果が得られることは容易に理解できよう。
【００４１】
また、本発明は上述例に限ることなく、本発明の要旨を逸脱することなく、その他種々の構成が採り得ることは勿論である。
【図面の簡単な説明】
【００４２】
【図１】本発明立体画像表示装置を実施するための最良の形態の例を適用したデジタルスチルカメラの例を示す構成図である。
【図２】ステレオアダプタの例を示す断面図である。
【図３】本発明の説明に供する線図である。
【図４】立体画像表示装置の例を示す構成図である。
【符号の説明】
【００４３】
１‥‥ステレオアダプタ、２‥‥レンズ系、３‥‥固体撮像素子、４‥‥フロントエンド部、５‥‥信号処理部、６‥‥中央制御装置、７‥‥バスライン、８‥‥ＲＯＭ、９‥‥ディスプレイコントローラ、１０‥‥カラー表示装置、１１‥‥メモリーインターフェース、１２‥‥メモリーカード、１３‥‥アナグリフ法画像合成手段、１４‥‥ワークＲＡＭ、２０‥‥縦縞状アナグリフ画像、２１ａ‥‥右眼、２１ｂ‥‥左眼、２２，２３‥‥フィルタ
【図１】
2005234055.tif 000003
【図２】
2005234055.tif 000004
【図３】
2005234055.tif 000005
【図４】
2005234055.tif 000006